(57)【要約】【課題】カセッテ装填作業の効率化を図ることができるカセッテ式撮影装置の提供。【解決手段】下辺ホルダ１２にはカセッテ３が載置され、この下辺ホルダ１２を上方へ移動することにより、カセッテ８が上辺ホルダと下辺ホルダ１２との間に挟持され、所定の位置に位置決めされる。下辺ホルダ１２に下方への力が作用すると、ストッパ１２２はガイドレール１００の側面に付勢されつつ当接する。そのため、下辺ホルダ１２の下方移動が禁止される。下辺ホルダ１２に上方への力が作用すると、ストッパ１２２はガイドレール１００の側面から退避するように移動し、下辺ホルダ１２を上方へ自由に移動させることができる。レバー１２３を下方に引き下げると、ストッパ１２２がガイドレール１００の側面から退避し、下辺ホルダ１２の下方移動禁止状態が解除される。【選択図】        図５
2005024876.tif 000002
【特許請求の範囲】
【請求項１】
Ｘ線フィルムが収納された板状のカセッテを垂直に保持するカセッテトレイにおいて、
前記カセッテの上下方向の位置決めを行う第１のホルダと、
前記カセッテを前記第１のホルダとの間に挟持する第２のホルダとを備えたことを特徴とするカセッテトレイ。
【請求項２】
請求項１に記載のカセッテトレイにおいて、
前記第２のホルダの上方への移動を許可するとともに下方への移動を禁止するロック機構と、
前記ロック機構による下方への移動禁止を解除するロック解除機構とを備えたことを特徴とするカセッテトレイ。
【請求項３】
請求項１に記載のカセッテトレイにおいて、
前記第１および第２のホルダを上下方向にガイドするガイド部材と、
前記第２のホルダに下方への力が作用した際に、前記ガイドに付勢しつつ当接して前記第２のホルダの下方移動を阻止し、かつ、前記第２のホルダに上方への力が作用した際に、前記ガイドから退避するように移動して前記第２のホルダの上方移動を許可するストッパと、
前記ストッパを前記ガイドから退避するように移動させるストッパ解除手段とを備えたことを特徴とするカセッテトレイ。
【請求項４】
請求項１〜３のいずれかに記載のカセッテトレイを備えたカセッテ式撮影装置。
【発明の詳細な説明】
【０００１】
【発明の属する技術分野】
本発明は、医用Ｘ線診断に用いられるカセッテ式撮影装置、およびその撮影装置に用いられるカセッテトレイに関する。
【０００２】
【従来の技術】
医用Ｘ線診断に用いられるカセッテ式撮影装置の一つとして、立位式直接撮影台システムがある（例えば、特許文献１参照。）。主に胸部撮影に用いられ、Ｘ線源を立位式撮影台と対向させて配置し、被検者を立位の状態にして撮影を行うものである。撮影台にはブッキー装置が搭載されており、そのブッキー装置内にはカセッテおよびグリッドが備えられている。カセッテはＸ線フィルムを密閉収納するケースであり、ブッキー装置に設けられたカセッテトレイに装填される。
【０００３】
【特許文献１】
特開２０００−２０１９１３号公報
【０００４】
【発明が解決しようとする課題】
従来のカセッテ式撮影装置では、一般的に、上下位置決め用ホルダの上下位置をカセッテのサイズに応じて位置決めし、そのホルダ上にカセッテを垂直に載置する。そして、カセッテが倒れないように押さえながら一対の左右位置決め用ホルダを移動して、それらのホルダでカセッテを挟みつけて保持するようにしている。そのため、上下位置決め用ホルダの位置決め操作と、左右ホルダの位置決め移動操作との２つの操作を行わなければならなかった。
【０００５】
また、カセッテトレイにカセッテを装填する際には、上面基準かセンター基準かに応じて固定位置を変える必要がある。そのため、上下位置決め用ホルダの位置決めを行う際には、カセッテサイズだけでなくいずれか一方の基準に応じて位置決めを行う必要があった。このように、カセッテ装填時の作業性が悪く、装填作業の効率化が問題となっていた。
【０００６】
本発明は、カセッテ装填作業の効率化を図ることができるカセッテトレイ、およびそのカセッテトレイを備えたカセッテ式撮影装置を提供するものである。
【０００７】
【課題を解決するための手段】
（１）請求項１の発明は、Ｘ線フィルムが収納された板状のカセッテを垂直に保持するカセッテトレイに適用され、カセッテの上下方向の位置決めを行う第１のホルダと、カセッテを第１のホルダとの間に挟持する第２のホルダとを備えたことを特徴とする。
（２）請求項２の発明は、請求項１に記載のカセッテトレイにおいて、第２のホルダの上方への移動を許可するとともに下方への移動を禁止するロック機構と、ロック機構による下方への移動禁止を解除するロック解除機構とを備えたものである。
（３）請求項３の発明は、請求項１に記載のカセッテトレイにおいて、第１および第２のホルダを上下方向にガイドするガイド部材と、第２のホルダに下方への力が作用した際に、ガイドに付勢しつつ当接して第２のホルダの下方移動を阻止し、かつ、第２のホルダに上方への力が作用した際に、ガイドから退避するように移動して第２のホルダの上方移動を許可するストッパと、ストッパをガイドから退避するように移動させるストッパ解除手段とを備えたものである。
（４）請求項４の発明によるカセッテ式撮影装置は、請求項１〜３のいずれかに記載のカセッテトレイを備えたことを特徴とする。
【０００８】
【発明の実施の形態】
以下、図を参照して本発明の実施の形態を説明する。図１は、本発明によるカセッテ式撮影装置の一実施の形態を示す図である。図１の撮影装置１は、ブッキー装置５が設けられた撮影台６と、撮影台６に対向配置されたＸ線管３とを備えている。Ｘ線管３は、レールＬ上を移動するＸ線管保持部２により保持されている。４は、Ｘ線管３から照射されるＸ線を絞るコリメータである。撮影装置１の動作は制御装置７によってコントロールされる。
【０００９】
Ｘ線管３は軸ＡＸ１回りに回動するとともに、レールＬに沿って矢印Ｄ１方向に移動する。また、Ｄ１方向と直交するＤ２方向およびＤ３方向にも移動する。ブッキー装置５には、Ｘ線フィルムや増感紙がセットされているカセッテ８と、カセッテ８のＸ線入射面側に配置されて散乱Ｘ線を除去するグリッド９が設けられている。ブッキー装置５は、被検者の身長に応じて撮影台６上を上下（矢印Ｄ４方向）に位置を変えることができる。また、ブッキー装置５にはグリッド９を左右に移動する機構が備えられている。
【００１０】
図２はブッキー装置５を説明する図である。ブッキー装置５はカセッテ８を装填するトレイ１０を備えており、カセッテ８の装填・取り出しを行う際には、図２に示すようにトレイ１０をスライドさせてブッキー装置５から引き出す。カセッテ８は二点鎖線で示すようにトレイ１０に装填され、上辺ホルダ１１および下辺ホルダ１２によってカセッテ８の上下が保持される。上辺ホルダ１１および下辺ホルダ１２は、上下に延びるガイドレール１００内を上下方向に移動させることができる。
【００１１】
《上辺ホルダ１１の説明》
上辺ホルダ１１はカセッテ８の固定位置を定める基準としても機能し、上辺ホルダ１１を上下に移動し、上辺ホルダ１１の背面側に設けられたピンをガイドレール１００に設けられた基準孔１０１に挿入することにより、上辺ホルダ１１を所定の基準位置に位置決めする。基準孔１０１はカセッテ８を上面基準で固定する際の基準孔であり、カセッテ８のサイズ（インチサイズ、ｃｍサイズ）に対応して縦方向に２列に並んで複数形成されている。カセッテ８は、頭部撮影や腹部撮影ではセンター基準で固定され、胸部撮影では上面基準で固定される。上面基準で固定する場合には、上辺ホルダ１１は最上位置に位置決めされる。
【００１２】
図３は上辺ホルダ１１を背面側から見た斜視図である。また、図４は上辺ホルダ１１の縦断面図である。上辺ホルダ１１は、カセッテ８の上辺を保持するスライドプレート１１０と、スライドプレート１１０の背面側に固設された一対のスライドブロック１１１と、スライドプレート１１０の背面側に軸１１２を介して回動自在に取り付けられたロックレバー１１３とを備えている。なお、ロックレバー１１３の一部は破断面とした。
【００１３】
スライドプレート１１０の上端部に設けられた水平部には、カセッテ８の倒れを防止するカセッテ支持部１１０ａが形成されている。スライドブロック１１１は樹脂等の摩擦係数の小さな部材で形成されており、トレイ１０（図２参照）のガイドレール１００内に填り込んで上下方向にガイドされる。ロックレバー１１３の背面側には、一対のピン１１４が左右に並んで固設されている。ピン１１４の他端はロックレバー１１３を貫通してスライドプレート１１０側に突出しており、その突出部１１４ｂには圧縮バネ１１５が外挿されている。圧縮バネ１１５の両端は、スライドプレート１１０の背面およびロックレバー１１３の前面に当接している。
【００１４】
図４は、上辺ホルダ１１を上面基準に固定した場合を示しており、ピン１１４はガイドレール１００の底面部に形成された基準孔１０１の内の最上位の孔に挿入されている。この状態から上辺ホルダ１１を下げる場合には、まず、図３の矢印Ｒ１のようにロックレバー１１３を操作する。そうすると、ロックレバー１１３は軸１１２の回りに回転して破線で示すように傾き、ピン１１４が基準孔１０１から抜け出して上辺ホルダ１１の固定状態（ロック）が解除される。
【００１５】
ロックを解除したならば、上辺ホルダ１１を下方にスライドして所望の基準孔１０１の位置でロックレバー１１３の前方への操作を解除する。ロックレバー１１３は圧縮バネ１１５によって背面側に付勢されているので、ピン１１４の位置が基準孔１０１と一致すると、ピン１１４が基準孔１０１に挿入され、上辺ホルダ１１が固定される。なお、カセッテ８の各サイズに応じた上辺ホルダ固定位置を示す指標をトレイ１０に形成することにより、上辺ホルダ１１の移動・固定をスムーズに行うことができる。
【００１６】
《下辺ホルダ１２の説明》
図５は、図１の下辺ホルダ１２部分を拡大した図である。また、図６は下辺ホルダ１２を背面側から見た斜視図である。下辺ホルダ１２は、カセッテ８の下辺を保持するスライドプレート１２０と、スライドプレート１２０の背面側に固設されたスライドブロック１２１と、先端が楔形をした一対のストッパ１２２と、ストッパ１２２の状態を変えるためのレバー１２３とを備えている。カセッテ８は、Ｌ字形状をしたスライドプレート１２０の水平部１２０ｂの部分に載置される。
【００１７】
スライドブロック１２１は、上述したスライドブロック１１１と同様の摩擦係数の小さな部材で形成されている。スライドプレート１２０と支持プレート１２４との間には双方を連結するように軸１２５が設けられており、ストッパ１２２は軸１２５を回転の軸として回動自在に設けられている。スライドブロック１２１および支持プレート１２４は、図５に示すようにネジ１２７によって共締めされてスライドプレート１２０に固定されている。ストッパ１２２の上端部分には引っ張りバネ１２６が掛け渡されている。
【００１８】
レバー１２３はＬ字形状をしており、下端に形成された水平部１２３ｃはスライドプレート１２０に形成された開口１２０ａから前方に突出している。一方、レバー１２３の垂直部１２３ａは二股に分かれており、それぞれの上端部分には前面側に延びる突出部１２３ｂが形成されている。各突出部１２３ｂは、ストッパ１２２の孔１２２ａにそれぞれ挿入されている。図５に示すように、スライドプレート１２０の背面側に設けられたガイドブロック１２１，ストッパ１２２，支持プレート１２４およびレバー１２３は、ガイドレール１００内に納められており、ガイドブロック１２１がガイドレール１００に係合することにより上下にガイドされるようになっている。
【００１９】
各ストッパ１２２の楔形先端は、それぞれガイドレール１００の側面に引っ張りバネ１２６のバネ力により当接している。各接触点と軸１２５の中心とを結ぶ線分の成す角αは１８０ｄｅｇよりも小さくなっている。そのため、下辺ホルダ１２に下向きの力が作用すると、摩擦力によって右側のストッパ１２２には反時計回りに、逆に、左側のストッパ１２２には時計回りに回転させるような力が働く。そのため、各ストッパ１２２の先端はガイドレール１００の側面に大きな力で当接することになる。その結果、下辺ホルダ１２に下方への力を作用させると、ストッパ１２２の先端がガイドレール１００の側面に付勢され、下辺ホルダ１２の下方への移動が禁止される。
【００２０】
一方、スライドホルダ１２に上向きの力が作用すると、破線矢印で示すように摩擦力によって右側のストッパ１２２には時計回りに、逆に、左側のストッパ１２２には反時計回りに回転させるような力が働く。ストッパ１２２が破線矢印のように動くため、上方に関しては下辺ホルダ１２を容易に移動させることができる。
【００２１】
また、レバー１２３の水平部１２３ｃを下方に引き下げるように操作すると、突出部１２３ｂが下方に移動して、右側のストッパ１２２は時計回りに、左側のストッパ１２２が反時計回りに回転させられる。その結果、ストッパ先端のガイドレール側面への当接が解除されて、下辺ホルダ１２を自由に上下することができる。
【００２２】
すなわち、下辺ホルダ１２は、ストッパ１２２によってガイドレール１００の任意の位置に固定することができるとともに、スライドプレート１２０を上方に持ち上げることにより上方に移動させることができる。そして、下辺ホルダ１２の固定状態はレバー１２３を引き下げることにより解除され、下方へも移動させることができるようになる。
【００２３】
《カセッテ装填手順の説明》
次に、カセッテ８のトレイ１０への装填手順について説明する。
（ａ）上辺基準の場合（図７参照）
（ａ１）上辺ホルダ１１をガイドレール１００の最上位置に固定する。
（ａ２）上辺ホルダ１１と下辺ホルダ１２との間隔がカセッテ８の縦幅よりも大きくなるように、レバー１２３を操作しながら、つまり下辺ホルダ１２の制動を解除して下辺ホルダ１２を下げる。
（ａ３）下辺ホルダ１２上にカセッテ８を載置し、カセッテ８の上面が上辺ホルダに当接するまで下辺ホルダ１２を上方に押し上げる。
（ｂ）センター基準の場合
まず、上辺ホルダ１１をカセッテ８のサイズに応じた位置に移動して固定する。その後、上述の（ａ２）、（ａ３）の作業を行う。
【００２４】
上述したように、本実施の形態では、カセッテ８の上下方向位置は上辺ホルダ１１で位置決めされる。そして、カセッテ８を載置した下辺ホルダ１２を上方に移動させるだけで、上辺ホルダ１１と下辺ホルダ１２との間にカセッテ８が挟み込まれる。そのため、従来に比べカセットトレイ１０へのカセッテ８の装填作業が簡素化されるとともに、部品点数を削減することができる。また、カセッテ８の固定位置に関して、上辺ホルダ１１の位置を変更するだけで上面基準とセンター基準とに容易に対応することができる。
【００２５】
以上説明した実施の形態と特許請求の範囲の要素との対応において、上辺ホルダ１１は第１のホルダを、下辺ホルダ１２は第２のホルダを、ストッパ１２２はロック機構を、レバー１２３はロック解除機構およびストッパ解除手段を、ガイドレール１００はガイド部材をそれぞれ構成する。また、本発明の特徴を損なわない限り、本発明は上記実施の形態に何ら限定されるものではない。
【００２６】
【発明の効果】
以上説明したように、本発明によれば、カセッテを、位置決めを行う第１のホルダと第２のホルダとの間に挟持して固定するようにしたので、カセッテ装填作業が簡素化される。特に、第２のホルダは上方へは移動するが下方へは移動禁止となっているので、第２のホルダによる挟持動作を簡単に行うことができる。
【図面の簡単な説明】
【図１】本発明によるカセッテ式撮影装置の一実施の形態を示す図である。
【図２】ブッキー装置５を説明する図である。
【図３】上辺ホルダ１１を背面側から見た斜視図である。
【図４】上辺ホルダ１１の縦断面図である。
【図５】下辺ホルダ１２を詳細に示す図である。
【図６】下辺ホルダ１２を背面側から見た斜視図である。
【図７】カセッテ装填手順を説明する図である。
【符号の説明】
１  カセッテ式撮影装置
３  Ｘ線管
５  ブッキー装置
８  カセッテ
９  グリッド
１０  トレイ
１１  上辺ホルダ
１２  下辺ホルダ
１００  ガイドレール
１０１  基準孔
１１０，１２０  スライドプレート
１１１，１２１  スライドブロック
１１３  ロックレバー
１１４  ピン
１２２  ストッパ
１２３  レバー
１２６  引っ張りバネ
【図１】
2005024876.tif 000003
【図２】
2005024876.tif 000004
【図３】
2005024876.tif 000005
【図４】
2005024876.tif 000006
【図５】
2005024876.tif 000007
【図６】
2005024876.tif 000008
【図７】
2005024876.tif 000009